Podtech/llm-jp-corpus-v4-ja_patent huggingface dataset:
(57)【要約】      （修正有）【課題】不審者に対してのみ脅威となるように不審者を追跡させる動作をする装置を安価に提供する。【解決手段】防犯装置の本体内部には、モーター等を動力とする駆動装置１が設けられ駆動装置には、人を検知するセンサー２が少なくとも２個設置されている。センサー２はそれぞれ検出できる範囲があるが、各範囲を重複範囲３、非重複範囲４に設定する。人物をセンサー２により検出した場合、例えば非重複範囲４−ａで検知すると反時計回転に駆動するよう命令され駆動装置１が駆動され非重複範囲４−ｂでも検知される位置まで駆動命令が続き、複数個のセンサー２が検知された位置すなわち重複範囲３の位置で駆動停止される。人物が移動した場合、いずれかの非重複範囲に移動することになるので、再び重複範囲３になるよう回転駆動命令が下される。【選択図】図１
2008090806.tif 000002
【特許請求の範囲】
【請求項１】
指定エリア内の侵入者を検知後、エリア内に存在する侵入者の位置を限定し、自動的に追跡動作することを特徴とする防犯装置
【請求項２】
前記の自動的に追跡動作は、少なくとも２個の人を検出するセンサー（以下センサーと略す）を使用し、それらセンサーの検出範囲の重複範囲と非重複範囲を設定しエリア内の侵入者の位置を認識させ、方向を変える防犯装置である。
【発明の詳細な説明】
【技術分野】
【０００１】  この発明は、防犯に使用する装置の動作方法に関する
【背景技術】
【０００２】  従来の住居等に使用する防犯装置は、図２に示すように、人が近づくと、それをセンサーが検知し、照明が点灯し一定時間経過後照度を落とす若しくは、防犯カメラが作動するものである。
【発明の開示】
【発明が解決しようとする課題】
【０００３】  しかしながら、以上の技術によれば、不審者等が侵入した事実を周囲に知らしめる方法が弱く、不審者に対する脅威又は、警告にもなり難い。加えて、近隣住民への迷惑となり得る場合も懸念される。そこで、この発明は、不審者に限定した脅威になるような装置を安価に提供することを課題とする。
【課題を解決するための手段】
【０００４】  以上の課題を解決するために、第一発明は、人物を追跡動作することにより威嚇効果を狙ったまた、第二発明は、使用するセンサーは、限られた範囲に人物が侵入すると電気信号を発信するものであるが、その検出範囲特性を利用し、居場所を限定することを可能にしたことを特徴とする防犯装置である
【発明の効果】
【０００５】  第一発明、または第二発明によれば、侵入者位置を限定することが可能である。照明機器等の光で侵入者を追尾又は、カメラを侵入者へリアルタイムに向けることが可能となるので、侵入者に限定した威嚇が可能となる。スポットライト等の光の向きも限定され、近隣住民への迷惑緩和効果も期待できる。
【発明を実施するための最良の形態】
【０００６】  この発明の一実施形態を、図１に示す。
防犯装置の本体内部には、モーター等を動力とする駆動装置１が設けられ駆動装置には、人を検知するセンサー２が少なくとも２個設置されている。センサー２はそれぞれ検出できる範囲があるが、各範囲を重複範囲３、非重複範囲４に設定する。人物をセンサー２により検出した場合、例えば非重複範囲４−ａで検知すると反時計回転に駆動するよう命令され駆動装置１が駆動され非重複範囲４−ｂでも検知される位置まで駆動命令が続き、複数個のセンサー２が検知された位置すなわち重複範囲３の位置で駆動停止される。人物が移動した場合、いずれかの非重複範囲に移動することになるので、再び重複範囲３になるよう回転駆動命令が下される。【０００７】  この発明の回路図を、図３に示す。
例えば、センサー２−ａの非重複検出範囲４−ａで人物を検知したとする。検出した信号はセンサー制御回路５に入り駆動装置の回転方向を決定し駆動制御回路６へ命令され駆動装置１を駆動させる。その後、センサー２−ｂでも同時に検出された状態、つまりは重複範囲３に人物が存在する状態になるとセンサー制御回路５より駆動制御回路へ駆動停止命令が出され動作をスタンバイ状態にする。【０００８】「実施形態の効果」
この実施形態によれば、例えばカメラの向きが容易に変えられることにより、侵入者の実質撮影時間が長時間撮影できる。例えばライト等の向きが変わることにより、侵入者に与える心理的な効果も見込める。【０００９】「他の実施形態」
図１、２の実施形態では、家屋の防犯装置としての形態であるが、センサーと駆動部を小規模化するなどして、自動車等の車両防犯装置として利用しても良い。
【図面の簡単な説明】
【００１０】
【図１】この発明の実施形態を示す概略図である。
【図２】この発明の実施形態を示す回路図である。
【図３】従来技術を示す概略図である。
【符号の説明】
【００１１】      １．駆動装置                    ２．センサー（ａ、ｂ）
３．重複検出範囲                ４．非重複検出範囲（ａ、ｂ）
５．センサー制御回路            ６．駆動制御回路
【図１】
2008090806.tif 000003
【図２】
2008090806.tif 000004
【図３】
2008090806.tif 000005
(57)【要約】      （修正有）【課題】ブログの記事内容に沿う広告情報をトラックバックするシステムを提供する。【解決手段】ブログパーツを貼り付けることで、ブログ標準機能にあるRSSを取得する。RSSファイルから、ブログ内の記事情報を取得して解析し、ブログ記事データに情報を格納する。また、RSSファイルから、ブログ内の記事情報を取得して解析し、ブログキーワードデータベースに格納する。一方でパソコンから広告データ情報となるデータを手動入力により行い、入力された広告データを広告情報データベースと広告キーワードデータベースに格納する。広告情報データベースから、広告文字文書を取得して解析し、広告キーワードデータベースに格納する。広告キーワードデータベース内のキーワードを比較して判定を行い、一致したキーワードを持つブログを検索し、一致したブログ記事へのトラックバックとしてデータを加工する。広告情報をトラックバックとしてブログ記事に書き込む。【選択図】なし【特許請求の範囲】
【請求項１】
本発明は、ブログに本発明のブログパーツを貼り付けることでブログの記事内容に沿った広告情報をブログ記事に対してのトラックバックとしてブログ記事に書き込むシステム。
【発明の詳細な説明】
【技術分野】
【０００１】
本発明は、ブログに本発明のブログパーツを貼り付けることでブログの記事内容に沿った広告情報をブログ記事に対してのトラックバックとしてブログ記事に書き込むシステムである。
【背景技術】
【０００２】
従来、トラックバックはウェブログへリンクを張った際に、リンク先の相手に対してリンクを張ったことを通知する仕組みであり、トラックバックはリンク元サイトに「このような記事からリンクを張った」という情報を通知する仕組みで、リンク元記事のＵＲＬやタイトル、内容の要約などが配信されるシステムであった。
【発明の開示】
【発明が解決しようとする課題】
【０００３】
従来、トラックバックはウェブログへリンクを張った際に、リンク先の相手に対してリンクを張ったことを通知する仕組みであり、トラックバックはリンク元サイトに「このような記事からリンクを張った」という情報を通知する仕組みで、リンク元記事のＵＲＬやタイトル、内容の要約などが配信されるシステムであった。
【０００４】
本発明は、ブログに本発明のブログパーツを貼り付けることでブログの記事内容に沿った広告情報をブログ記事に対してのトラックバックとしてブログ記事に書き込むシステムである。
【課題を解決するための手段】
【０００５】
上記課題を解決するために本発明は、ブログパーツを貼り付けることで、ブログ標準機能にあるRSS（Rich Site Summary）を取得する。RSSファイルから、ブログ内の記事情報を取得して解析し、ブログ記事データに情報を格納する。また、RSSファイルから、ブログ内の記事情報を取得して解析し、Chasen（形態素解析処理）を使ってキーワードを分解し、ブログキーワードデータベースに格納する。一方でパソコンから広告データ情報となるデータを手動入力により行い、入力された広告データを広告情報データベースと広告キーワードデータベースに格納する。広告情報データベースから、広告文字文書を取得して解析し、Chasen（形態素解析処理）を使ってキーワードを分解して、広告キーワードデータベースに格納する。広告キーワードデータベース内のキーワードを比較して同一判定を行い、一致したキーワードを持つブログを検索し、一致したブログ記事へのトラックバックとしてデータを加工する。広告情報をトラックバックとして、ブログ記事に書き込む。
【発明の効果】
【０００６】
本発明によりブログパーツを貼り付けることでトラックバック機能に広告表示機能を付加することで新しいビジネスモデルとしてトラックバックを活用することが可能となる。ブログのRSS情報とマッチングした広告情報をトラックバックに書き込むことでブログ閲覧者に有益な広告情報を提供することが可能である。
【発明を実施するための最良の形態】
【０００７】
インターネット環境のあるパソコンを保有し、利用者自身のブログを保有しており、「トラバわんにゃん」のサイトで会員登録を行い発行されたタグをブログに貼り付ける。管理画面でカテゴリを決め、ペットリンクを許可しペットの種類を決め、トラックバック試行回数を決め、マッチングレベルを決定する。
【実施例１】
【０００８】
ブログユーザーが利用中のブログＵＲＬとブログＲＳＳをトラバわんにゃんサーバーに登録する。各ユーザー用トラバわんにゃんＦＬＡＳＨ貼り付けタグを発行する。トラバわんにゃんＦＬＡＳＨをブログのサイドバーに貼り付ける。ブログ標準機能にあるRSS（Rich Site Summary）を取得する。RSSファイルから、ブログ内の記事情報を取得して解析し、ブログ記事データに情報を格納する。また、RSSファイルから、ブログ内の記事情報を取得して解析し、Chasen（形態素解析処理）を使ってキーワードを分解し、ブログキーワードデータベースに格納する。一方でパソコンから広告データ情報となるデータを手動入力により行い、入力された広告データを広告情報データベースと広告キーワードデータベースに格納する。広告情報データベースから、広告文字文書を取得して解析し、Chasen（形態素解析処理）を使ってキーワードを分解して、広告キーワードデータベースに格納する。広告キーワードデータベース内のキーワードを比較して同一判定を行い、一致したキーワードを持つブログを検索し、一致したブログ記事へのトラックバックとしてデータを加工する。広告情報をトラックバックとして、ブログ記事に書き込む。
【図面の簡単な説明】
【０００９】
【図１】フローチャート図（１）である。
【図２】フローチャート図（２）である。
【図３】フローチャート図（３）である。
【図１】
2008090763.tif 000002
【図２】
2008090763.tif 000003
【図３】
2008090763.tif 000004
(57)【要約】【課題】  従来の電気ギターのピックアップ装置では、３点式ないし５点式スイッチによる単体ないし限られた組み合わせのピックアップの音色の選択しかできず、また、位相を選択できるスイッチを有する電気ギターはギブソン調性の音色を出力することができない問題点を有していた。【解決手段】  中間タップ付きデュアルコイルブリッジハムバッカーピックアップ、センターシングルコイルピックアップおよび中間タップ付きデュアルコイル指板ハムバッカーピックアップを、５個の６極３位置（６Ｐ  ＯＮ−ＯＦＦ−ＯＮ）スイッチおよび２個の６極２位置（６Ｐ  ＯＮ−ＯＮ）スイッチに接続することにより、位相およびフェンダー・ギブソン調性の選択を行い、５０６通りの音色を出力することができる。【選択図】図２
2008090250.tif 000002
【特許請求の範囲】
【請求項１】
中間タップ付きデュアルコイルブリッジハムバッカーピックアップ、センターシングルコイルピックアップ、中間タップ付きデュアルコイル指板ハムバッカーピックアップ、位相信号を選択する第１のスイッチ手段およびデュアルコイルハムバッカーピックアップまたはシングルコイルピックアップの音色を選択する第２のスイッチ手段を備え、該第１のスイッチ手段は、前記ブリッジハムバッカーピックアップに接続された２個の６極３位置スイッチ、前記センターシングルピックアップに接続された１個の６極３位置スイッチおよび前記指板ハムバッカーピックアップに接続された２個の６極３位置スイッチによって構成され、該第２のスイッチ手段は、前記ブリッジハムバッカーピックアップおよび前記指板ハムバッカーピックアップに前記第１のスイッチ手段を介して接続された６極２位置スイッチによって構成された配線構造を特徴とするギターピックアップ装置。
【発明の詳細な説明】
【技術分野】
【０００１】  本発明は、多様な音色を選択できる電気ギターピックアップ装置に関するものである。
【背景技術】
【０００２】  従来、使用されてきたギブソン調性のデュアルハムバッカーコイルピックアップ式電気ギターや、フェンダー調性のシングルコイルピックアップ式電気ギターを演奏するにあたり、３点式ないし５点式スイッチにより音色を選択することができた。
【発明の開示】
【発明が解決しようとする課題】
【０００３】  従来この種の電気ギターのピックアップ装置では、前記３点式ないし５点式スイッチによる単体ないし限られた組み合わせのピックアップの音色の選択しかできず、また、位相を選択できるスイッチを有する電気ギターはギブソン調性の音色を出力することができない問題点を有していた。
【課題を解決するための手段】
【０００４】  上記問題を解決するために、次の（１）〜（４）の手段により、多様な種類の音色を選択できるようにする。【０００５】（１）中間タップ付きデュアルコイルブリッジハムバッカーピックアップ、センターシングルコイルピックアップおよび中間タップ付きデュアルコイル指板ハムバッカーピックアップを設置する。【０００６】（２）各コイルごとに６極３位置（６Ｐ  ＯＮ−ＯＦＦ−ＯＮ）スイッチを接続し、正位相、逆位相および切断のうちいずれかを選択できるようにする。【０００７】（３）デュアルコイルハムバッカーピックアップに接続された前記（２）のスイッチの出力側に６極２位置（６Ｐ  ＯＮ−ＯＮ）スイッチを接続し、並列接続（フェンダー調性のシングルコイルピックアップの音色）または直列接続（ギブソン調性のハムバッカーピックアップの音色）を選択できるようにする。【０００８】（４）各出力をボリュームおよびトーン回路を介して、アウトプットジャックに接続する。
【発明の効果】
【０００９】  本発明により、一台の電気ギターにおいて、ギブソン調性やフェンダー調性の音色をはじめ、逆位相を含むハムバッカーの音色など、デュアルコイルブリッジハムバッカーピックアップ、センターシングルコイルピックアップおよびデュアルコイル指板ハムバッカーピックアップの持てる最大限の種類の音色（５０６通り）を出力することができる。【００１０】  出力可能な音色（無音状態を除く）        合計  ５０６通り【００１１】（１）１〜５個の独立したシングルコイルピックアップの音色（ＳＳＳＳＳ）
３ｘ３ｘ３ｘ３ｘ３−１＝２４２通り
シングル          （全ピックアップ無音）
（正位相、逆位相、切断）【００１２】（２）１個のハムバッカーコイルピックアップの音色に０〜３個の独立したシングルコイルピックアップの音色を加えたもの（ＨＳＳＳ、ＳＳＳＨ）
４ｘ３ｘ３ｘ３ｘ２    ＝２１６通り
ハムバッカー
（ａ正位相−正位相）
（ｂ正位相−逆位相）
（ｃ逆位相−正位相）
（ｄ逆位相−逆位相）
＊無音状態を除いた４通り【００１３】（３）２個のハムバッカーコイルピックアップの音色に０〜１個の独立したシングルコイルピックアップの音色を加えたもの（ＨＳＨ）
４ｘ３ｘ４            ＝  ４８通り
【発明を実施するための最良の形態】
【００１４】  一台の電気ギターにおいて、デュアルコイルブリッジハムバッカーピックアップ、センターシングルコイルピックアップおよびデュアルコイル指板ハムバッカーピックアップの持てる最大限の種類の音色を出力するという目的を、最小の部品点数で実現した。
【産業上の利用可能性】
【００１５】  既存のストラトキャスタータイプのギターに対して、ピックガードと一体となったピックアップ・スイッチ・配線を交換するだけで容易に改造することができるため、新型のギターのみならず、改造用の部品としてもこの発明を利用することができる。
【図面の簡単な説明】
【００１６】
【図１】本発明の実施形態を示す電気ギターの外観
【図２】同電気ギターの回路図
【符号の説明】
【００１７】  １、３…………………中間タップ付きデュアルコイルハムバッカーピックアップ
２………………………シングルコイルピックアップ
４、５、６、７、８…６極３位置（６Ｐ  ＯＮ−ＯＦＦ−ＯＮ）スイッチ
９、１０………………６極２位置（６Ｐ  ＯＮ−ＯＮ）スイッチ
１１……………………マスターボリューム
１２……………………マスタートーン
１３……………………アウトプットジャック
【図１】
2008090250.tif 000003
【図２】
2008090250.tif 000004
(57)【要約】      （修正有）【課題】広告としての付加価値を向上し防犯にも寄与する広告照明器を提供する。【解決手段】照明部本体（以下本体）１に取付け金具２を設け、電柱広告３の電柱広告止めボルト４に取付け金具２とナット（取付け金具５）で、電柱広告３に本体１を設け、外部電源５により本体１のセンサースイッチ６を介して自動消灯する。【選択図】図２
2008090248.tif 000002
【特許請求の範囲】
【請求項１】
電柱広告照灯器本体（以下本体）は樹脂製の型枠からなり、本体上面側は、光源をはじめとした電子基板からなり、電柱広告に固定するための取付け金具を設け、電柱広告に固定するよう構成される電柱広告照灯器。
【発明の詳細な説明】
【発明の詳細な説明】
【技術分野】
【０００１】  この発明は、電柱広告に照明を取り付けるもので、広告としての付加価値向上と夜間における防犯対策を考慮した照灯器に関するものである。
【背景技術】
【０００２】  従来より、電柱広告は、照明設備が無いため、夜間における広告としての媒体価値が低くまた、防犯用街灯は、必要とされる数が足りず、照度も低いものが少なくなかった。
【発明が解決しようとする課題】
【０００３】これには次のような欠点があった。
イ．夜間使用する防犯用街灯は、自治体や地域住民の費用負担軽減もあり、必要とされる数が足りず、照度も低いものが少なくなかった。
ロ．既存の電柱広告は、ほとんど照明設備が無く、広告として夜間の媒体価値が低かった。
本発明は、これらの欠点を解決するために発明されたものである。
【課題を解決するための手段】
【０００４】照明部本体（以下本体）（１）に取付け金具（２）を設け、電柱広告（３）の電柱広告止めボルト（４）にナット（取付け金具（５））で、電柱広告（３）に本体（１）を設け、外部電源（５）により本体（１）のセンサースイッチ（６）を介して自動消灯する。以上の構成からなる電柱広告照灯器。
本発明は、以上の構成よりなる電柱広告照灯器である。
【発明を実施するための最良の形態】
【０００５】以下、本発明の実施の形態を説明する。
（イ）照明部本体（１）に取付け金具（２）を設ける。
（ロ）電柱広告（３）の電柱広告止めボルト（４）に取付け金具（２）とナット（取付け金具（５））により照明部本体（１）を取付ける。
（ハ）照明部本体（１）の外部電源（５）に電気を供給する。
本発明は、以上の構成よりなっている。
【発明の効果】
【０００６】本発明を使用することによって、防犯対策として街灯の設置を促進し、電柱広告の広告費をあてることで、自治体や地域住民の費用負担を低減することができる。
しかも、電柱広告の付加価値向上につなげることができる。
【図面の簡単な説明】
【図１】本発明の斜視図
【図２】本発明の分解斜視図
【図３】本発明の使用状態を示す斜視図
【符号の説明】
１  照明部本体
２  取付け金具
３  電柱広告
４  電柱広告止めボルト
５  ナット（取付け金具）
６  センサースイッチ
７  外部電源
【図１】
2008090248.tif 000003
【図２】
2008090248.tif 000004
【図３】
2008090248.tif 000005
(57)【要約】【課題】表面がなめらかな弦により、こすれ音の発生しないスムーズな演奏を提供する。【解決手段】外側弦をプレスにより圧力をかけて、断面が正方形となってから中心弦に巻いていくことを特徴とするスチール弦である。。【選択図】図１
2008090245.tif 000002
【特許請求の範囲】
【請求項１】
従来ギター用スチール弦の３弦から６弦までの各弦は、中心弦に対して外側部分に巻かれている、弦の断面は円形となっていたが、正方形の断面で形成することにより、弦の表面がなめらかとなることを特徴とするスチール弦である。
【発明の詳細な説明】
【技術分野】
【０００１】本発明は、ギター用スチール弦の３弦から６弦の中心弦に対して、外側部分に巻かれている弦に関するものである。
【背景技術】
【０００２】従来、弦の外側部分に巻かれていた弦の断面は円形となっていた。
【発明の開示】
【発明が解決しようとする課題】
【０００３】  そのために次のような問題点があった。
（イ）、弦の表面がザラザラしていた。
（ロ）、弦の表面を指で移動する場合、すれる音が出る。
【課題を解決するための手段】
【０００４】外側部分の弦の断面が、正方形の弦で巻かれたスチール弦である。
【発明の効果】
【０００５】弦の表面がなめらかとなるため、指のすべりがよくなりこすれる音が出なくなる。
【発明を実施するための最良の形態】
【０００６】  以下、本発明の実施の形態について説明する。
（イ）中心弦（２）に対して、外側弦（１）の断面を正方形の弦により巻き込む、本発明は以上の構成により、指の移動がスムーズとなりこすれ音が発生しにくくなる。
【図面の簡単な説明】
【０００７】
【図１】本発明の一部を切り欠いた側面図
【符号の説明】
【０００８】１  外側弦
２  中心弦
【図１】
2008090245.tif 000003
(57)【要約】      （修正有）【課題】知的障害児（者）および幼児の多くが求める触覚・運動覚へのリズミカルな刺激を入力することが可能な、リズム刺激入力器を提供する。【解決手段】手回し回転ドラム１に、一定間隔に並んだ刺激物２をとりつけ、手動にて回転ドラム１を回転させ、リズム刺激を入力させる当人の身体の一部をこれに触れさせる。回転ドラム１の回転数や、刺激物２の配置を変えることによって入力させるテンポやリズムを変えることができ、当人の求める刺激を効率よく与えることができる。【選択図】図１
2008090244.tif 000002
【特許請求の範囲】
【請求項１】
手回し回転ドラム（１）の表面に、一定間隔に並んだ刺激物（２）をとりつけた知的障害児（者）および幼児のためのリズム刺激入力器
【発明の詳細な説明】
【技術分野】
【０００１】  この発明は、手回し回転ドラム（１）の表面に、一定間隔に並んだ刺激物（２）をとりつけた知的障害児（者）および幼児のためのリズム刺激入力器に関するものである。
【背景技術】
【０００２】  従来、知的障害児（者）および幼児へのリズム刺激入力は、音楽などに合わせて、その身体をタッピングする等、付加的なものであった。
【発明の開示】
【発明が解決しようとする課題】
【０００３】  これには、次のような課題があった。
知的障害児（者）および幼児の多くは、リズム刺激そのものを求める傾向があるにも関わらず、それを、主な刺激として効率よく与えられることはなかった。
本発明は、以上のような課題を解決するためになされたものである。
【課題を解決するための手段】
【０００４】  手回し回転ドラム（１）の表面に、一定間隔にならんだ触覚への刺激物を（２）をとりつける。本発明は、以上の構成よりなる知的障害児（者）および幼児のためのリズム刺激入力器である。
【発明の効果】
【０００５】  ドラムとともに回転する刺激物に、当人の身体の一部を触れさせた時、触覚を刺激しながらの、触覚・運動覚へのリズミカルな刺激が入力されることになる。このリズム刺激の入力法は、多くの知的障害児（者）および幼児が好んで受け入れる方法であり、ドラムの回転数、刺激物の配置を変え、テンポとリズムを変化させることにより、当人の求めるリズム刺激を効率よく与えることが可能となる。
【発明を実施するための最良の形態】
【０００６】  以下、本発明を実施するための最良の形態について説明する。
手回し回転ドラム（１）の表面に、一定間隔にならんだ触覚への刺激物（２）をとりつける。本発明は、以上のような構造で、これを使用するときは、手動にてドラムを回転させ、リズム刺激を入力させる当人の身体の一部を触れさせる。入力させるテンポ、リズムを変えるときは、ドラムの回転数を変えたり、刺激物の配置を変えればよい。
【図面の簡単な説明】
【０００７】
【図１】  本発明の分解斜視図である。
【符号の説明】
【０００８】  １  手回し回転ドラム
２  一定間隔にならんだ触覚への刺激物
【図１】
2008090244.tif 000003
(57)【要約】【課題】  日本人が外国語学習において、単語を覚えるための繰り返し学習を効率的に行うことができる辞書、単語帳、学習帳、電子辞書、電子単語帳、学習装置を提示する。【解決手段】  固有名詞以外の単語の見出しに、または解説情報の項目として、和訳のローマ字読み略語を付加する。単語と対応する略語のデータ（以下、単語略語データ）を同時に提示する電子辞書、電子単語帳、学習装置による。また単語略語データを編集可能とする。学習装置において、入力テキストデータの単語に略語を付加して、出力する。【選択図】図１
2008090247.tif 000002
【特許請求の範囲】
【請求項１】
ゲルマン語群言語の辞書、単語帳、または学習帳であって、固有名詞以外の単語の見出しに、または解説情報の項目として、和訳のローマ字読み略語を付加したもの。
【請求項２】
請求項１を電子化した装置。
【請求項３】
請求項２において、略語を編集できるようにしたもの。
【請求項４】
英語の読み方学習装置であり、構成要素はコンピュータのハードウェアとソフトウェアである。ソフトウェアは、データとプログラムで構成する。データ領域として、単語とそれに対応する略語（以下、単語略語データ）を持つ。プログラムは、入力テキストデータを単語に切り分け、単語略語データを検索し、略語を取得する。さらに単語に略語を付加して出力する。
【請求項５】
請求項４において、単語略語データを編集できるようにしたもの。
【発明の詳細な説明】
【技術分野】
【０００１】
【背景技術】
【０００２】  『単語帳作成装置、単語帳作成方法及び単語帳作成プログラム』として、電子辞書機能を有する単語帳作成装置において、単語登録を簡易化する方法が提示されている。
特開２００５−３８０３３（Ｐ２００５−３８０３３Ａ）【０００３】  『用語管理方法および用語管理方式』として、日本語用語名から英用語名と用語属性及び省略語を取得する方法が提示されている。特開２００１−２４３０５５（Ｐ２００１−２４３０５５Ａ）
【特許文献１】  特開２００５−３８０３３（Ｐ２００５−３８０３３Ａ）
【特許文献２】  特開２００１−２４３０５５（Ｐ２００１−２４３０５５Ａ）
【発明の開示】
【発明が解決しようとする課題】
【０００４】  日本人が外国語学習において、単語を覚えるための繰り返し学習を効率的に行うことができる辞書、単語帳、学習帳、電子辞書、電子単語帳、学習装置を提示する。
【課題を解決するための手段】
【０００５】  固有名詞以外の単語の見出しに、または解説情報の項目として、和訳のローマ字読み略語を付加する。【０００６】  略語を得るために、英文字『ｘ（エックス）』で否定的であることを示す。【０００７】  略語を得るために、最初の母音文字は残す。【０００８】  略語の文字数は２つから４つまでを基準とする。
【発明の効果】
【０００９】  単語を繰り返し、提示する際、略語を付加することが意味を記憶する補助となり、学習効果を向上させられる可能性がある。
【発明を実施するための最良の形態】
【００１０】  英語の読み方学習装置であり、構成要素はコンピュータのハードウェアとソフトウェアである。【００１１】  ソフトウェアは、データとプログラムで構成する。【００１２】  データは出力環境情報、入力テキストデータ、単語略語データ、出力文字列データで構成する。出力環境情報は項目として、改行復帰情報、フォント種別情報を持つ。単語略語データは項目として、識別子、単語見出し、略語を持つ。出力文字列データは識別子、文字列、出力位置、出力媒体占有長さ、出力文字属性情報を持つ。【００１３】  プログラムは、単語略語データ読込処理、単語略語データ書出処理、入力テキストデータ受付処理、文字列切り出し処理、文字列単語化処理、単語略語データ検索処理、出力文字列データ構成処理、文字列出力処理、単語指定処理、単語略語データ編集処理、辞書機能呼出処理で構成する。【００１４】  単語略語データ読込処理は、単語略語データを一括読込する。プログラム起動時に行う。【００１５】  単語略語データ書出処理は、単語略語データを一括書出する。プログラム終了時に行う。【００１６】  入力テキストデータ受付処理は、カット・アンド・ペースト機能で取得したテキストデータを受け付ける。【００１７】  文字列切り出し処理は、入力テキストデータについて、空白文字を区切りと判定し、文字列を順に切り出す。【００１８】  文字列単語化処理は、切り出された文字列中の数字と記号を除いて、単語とする。【００１９】  単語略語データ検索処理は、単語を小文字化して検索し、登録済みの場合、その略語を取得する。【００２０】  出力文字列データ構成処理は、出力媒体への文字列出力位置を計算する。出力文字列を単語化した単語が単語略語データに登録されているかどうかによって、出力属性情報のフォント色を変える。フォント色は、単語、略語でも区別をつける。そして出力文字列データとして、登録する。【００２１】  文字列出力処理は、出力文字列データによって、文字列を出力する。【００２２】  単語指定処理は、キーボード入力を受け付ける。またはポインティング・デバイス入力を受付、出力文字列データの位置情報と長さ情報によって領域判定を行い、文字列を取得し、文字列単語化処理を経て、単語として取得する。【００２３】  単語略語データ編集処理は、単語と略語の登録、修正、削除を受付、処理する。単語は小文字化する。略語は大小文字を区別する。【００２４】  辞書機能呼出処理は、オフライン、またはオンライン電子辞書機能を呼び出し、画面に表示する。
【図面の簡単な説明】
【００２５】
【図１】  単語略語データの例。
【図２】  典型的なコンピュータのハードウェア構成。
【図３】  ソフトウェア構成。
【図４】  データ構造。
【図５】  英語の読み方学習装置の画面例。
【符号の説明】
【００２６】  １０単語略語データの例。
２０プログラム、処理データ保持部、２１演算部、２２入力部、２３出力部、２４データ・プログラム保存部。
３０単語略語データは、最新データがメモリー上に構築されているが、図では省略。３１単語指定は、ポインティング・デバイス入力を受け付けた場合、文字列単語化処理、単語略語データ検索処理を経由し、単語、略語を取得するが、図では省略。
４０単語略語データ、４１出力文字列データ、識別子は、配列構造で実現されている。
５０英語の読み方学習装置の画面例、５１単語入力領域、５２略語入力領域、５３辞書機能呼出ボタン、５４単語略語データ編集ボタン、５５入力テキストデータ・ペースト領域、５６文字列出力領域、５７オフライン、またはオンライン電子辞書表示領域。
【図１】
2008090247.tif 000003
【図２】
2008090247.tif 000004
【図３】
2008090247.tif 000005
【図４】
2008090247.tif 000006
【図５】
2008090247.tif 000007
(57)【要約】      （修正有）【課題】毎回の食事毎に摂取した食品の量と食種を把握し、１日に必要な食事量に対する差異を簡単に理解できる管理表を提供する。【解決手段】１日に必要な食品を、食事回数に応じて分割表示したカード２を、毎回の食事毎に左右に移動させて、１日に摂取した食品の量と食種を把握すると共に、移動しなかったカードにより不足した食品も理解できる。【選択図】図１
2008090252.tif 000002
【特許請求の範囲】
【請求項１】
今一番問題の多い生活習慣病の予防、改善につながる道具１、１／２、１／３、１／４、１／５のカードを、左から右へ、右から左へ移動させる事で、３６５日健康管理が出来る道具、又献立て表、薬、水分、運動、買物、旅行の日程や、電車の時刻表など、考え方、使い方で表の作り方、組み合わせは無限、素材は、紙、木、プラスチックなどなんでも良く、色や外形、大きさも自由な管理表。
【発明の詳細な説明】
【発明の詳細な説明】
【技術分野】
【０００１】食べたい物を食べたいだけが幸せただと思っていましたが、体調を崩し始めて食事の大切さを考えました。生活習慣病の予防、改善だけではなく、自分に合った食べる量、１日のカロリーを一目でわかる様に、組み合わせの出来る道具、食事の偏りや、過不足を知り、バランスのとれた食事に見直す、今すぐ欲しい管理表を自分が欲しくて一生懸命勉強しました。毎日きちんとではなくて良いが自分の食べる量をきちんと知る事が大切。
【背景技術】
【０００２】町や市での健康に関する学習会が多くなりましたが、亜鉛の不足が問題になる学習会では、多くの食事と３０種類の食材に近づけた食事をと、又生活習慣病の学習会では食事の量を減らし、体重を落としてと学びます。どちらも大切な事と思いますが理解出来ないのが、自分にとっての食べる量がわからない事です。自分の過不足を知ってから食生活の改善をと考えますが簡単にバランスの良い自分に合った食事を毎日続ける事の大変さも実感しました、一番の基本になる自分用の管理表が今までありませんでした、簡単で誰にでも使える管理表が、今どうしても必要だと思います。
【発明が解決しようとする課題】
【０００３】食事は毎日、１人１人カロリーを計算したり、生活習慣病の人と普通の人の献立を書き替えたりしなくても、食品の数は同じで、食事の量を変える事でその人に合ったカロリーに調節できバランスの良い食生活が出来る事が学んだ結果わかった。今までこの事が理解できず難しい所でした。その結果考えたのが、この道具です。
【課題を解決するための手段】
【０００４】自分の食事の量を知るために学校の教材として、又病院や保健センターでの生活習慣病の御指導の時、この道具を使ってその人に合った食事の量や食種など書き込み説明することで難しかった事が簡単に理解できる。即実行できるので病気の改善に役立つ道具。病気により食べる回数、食べていけない物、多く取った方が良い物など自由に組み合わせの出来る表で解決に近づくと思われます。
【発明を実施するための最良の形態】
【０００５】主食のごはんは、１日３回食べるので１／３のカードを３枚ごはん１５０ｇなど自分の量を書いたカードを作る、胃の手術などで５回食の人は１／５のカードを５枚、朝食べたら１枚のカードを左から右へ移動、他の食種も同じ様にカードにして、昼夜も食べたら異動、次の朝は右から左へカードを移動させる、移動したカードより残っているカードに注目、毎日同じ食品が残ることのない様献立を考えて自分の過不足をしる食材は必ずはかりで計ってみて自分の量を知ることが大切又この表を使って簡単に献立も出来る、朝ご飯昼パン夜うどんなどカードをセットして朝はごはんに合わせて魚と野菜の味噌汁、ヨーグルト、果物。昼はパンに合わせて目玉焼きと野菜サラダと牛乳。夜はうどんに合わせて、肉と野菜の煮込みうどんと豆腐の料理でとカードを移動させてなるべく多くの食材の組み合わせの献立を、これで１人分１，６００ｋｃｌぐらいの献立になります。
【発明の効果】
【０００６】生活習慣病肥満は、食事を食べないで治すのではなく、自分に合った量を、バランスよく食べる事が大切、でも今まできちんとした資料もなくサプリメントやダイエット食品にたよっていた人も多いと思われます。なってしまったら治らない、治りにくくとても大変です。食事、運動、心のバランスを考えて節目、節目に運動量に見合った食事量に切り替えて表の見直しを、今までの本や資料の難しい物が、誰にでも使えて、一目でわかり簡単で自分の思いのままに使える道具、食事の事だけでなく薬の飲み忘れや二度飲みの予防や運動買物、水分量など自分に合わせて表が作れて楽しい、学校、病院、保健センターで使って欲しい基礎の基礎を知る道具、医療費の削減や食の見直しも出来たらうれしく思います。
【図面の簡単な説明】
【図１】平面的な小さなものを見ることで毎日の食事の内容が、手に取る様に見える１、１／２、１／３、１／４、１／５のカードを移動する事で過不足もはっきりわかる食事のことだけでなく色々な使い方が出来る道具を示した平面図である。
【図２】本発明の断面図である
【符号の説明】
１  管理表の本体
２  移動するカード
３  自分用の食種を書き込むカード
４  自分用のカロリーやｇを書き込むカード
５  交換カード
【図１】
2008090252.tif 000003
【図２】
2008090252.tif 000004
(57)【要約】【課題】  手の不自由な人や、指先がない人など、又、パソコンのブラインドタッチや手作業をする人などが、指にはめ筆記をする筆記具を提供する。【解決の手段】  指サック（１）に小さなペンや筆等（２）を取り付けたことを特徴とする。【選択図】図２
2008044333.tif 000002
【特許請求の範囲】
【請求項１】
指サック（１）に小さなペンや筆等（２）を取り付けて指にはめる筆記具である。
【発明の詳細な説明】
【発明の詳細な説明】
【技術分野】
【０００１】この発明は、手の不自由な人や、指先がない人など、又、パソコンのブラインドタッチや手作業をする人などが、指にはめ筆記をするためのものである。
【背景技術】
【０００２】従来より鉛筆、ボールペン、筆等の筆記具があった。
【発明が解決しようとする課題】
【０００３】これは、次のような欠点があった。
（イ）パソコンのブラインドタッチや手作業をする人がペン等筆記具を手に持ったり置いたりするのに手間と時間を要したり、置いた際に筆記具が転がり机等から落下する要素があった。
（ロ）手の不自由な人や、指先がない人などは、ペン等の筆記具を持つことができなかった。
【課題を解決するための手段】
【０００４】指サック（１）に小さなペン（２）を取り付けて指にはめる。
本発明は、以上の構成からなる筆記具である。
【発明を実施するための最良の形態】
【０００５】  以下、本発明の実施の形態を説明する。
指サック（１）に小さなペンや筆等（２）を取り付けて指にはめる。
本発明は、以上の構成よりなっている。
本発明を使用するときは、本発明を指にはめ、指先又は、腕の動きにより、文字、イラスト等を描くことができる。
ペンを、筆に変えることで、絵の具や習字を描くことができる。
【発明の効果】
【０００６】  本発明を使用することによって、手の不自由な人や、指先がない人など、又、パソコンのブラインドタッチや手作業をする人などが、指にはめ筆記を容易にすることができ、筆記に関しての苦労を解決する。
【図面の簡単な説明】
【図１】  本発明の斜視図
【図２】  本発明の使用状態を示す斜視図
【図３】  本発明の分解斜視図
【符号の説明】
▲１▼  指サック
▲２▼  ペンや筆
【図１】
2008044333.tif 000003
【図２】
2008044333.tif 000004
【図３】
2008044333.tif 000005
(57)【要約】【課題】  従来の製本方法では、背表紙以上のページでつながった上下が二段以上で独立した本が縦に並ぶ場合には、製本機械では処理のしようが無く、どちらか一方を製本の後、手作業にて他方以上の本部分の製本を行う必要が有った。【解決手段】  印刷終了状態の少なくとも背表紙ページ以上のページ数ではつながっている、図１のような上下二段に分かれた製本誌を折り曲げて、背表紙同士を密着させた状態で、通常に機械製本を行う。すると上部製本部分の本は背中で折り返した状態で、下部製本部分と一体の製本処理がされているわけであるが、図３のように上部製本部分の製本金具が綴じている部分に沿って、図３の記号３０１部分のようにミシン目や切込み等を入れておくことにより、簡単に取り外しが効き上部の折り返している本部分は元の状態の上下二段に分かれた製本部分を持つ二段式の本の状態の図４のような状態に戻ることが出来る。【選択図】図４
2008044334.tif 000002
【特許請求の範囲】
【請求項１】
上下二段式の情報誌に関する製本手段であって、上部が少なくとも１ページ以上の製本部分を持ち、下部製本部分と上部１ページ以上の製本部分とが上下の中心部分から折り曲げたり、上部製本部分を下部製本部分に挟み込んだりすることが出来る上下二段式以上でありながら、背表紙側から見た場合には外見上は一体型の本に関しての製本の手段
【発明の詳細な説明】
【技術分野】
【０００１】  本発明は、上下二段以上の独立した製本誌を少なくとも背表紙以上の複数ページで上下がつながれた一体型の本の製本に関する。
【背景技術】
【０００２】  従来の情報誌は、ほとんどが一冊の本からなるものであり、少なくとも上下に二段以上に独立して製本された本を上下二段以上に配置し、背表紙側からみて、少なくとも一体の背表紙以上の複数のページで上下の本がつながっている状態の本の場合、それぞれが独立して製本されているわけであるから、一方側を通常機械製本してから、他方の本の製本を行う場合、製本機械を利用して製本処理を行うことは不可能であった。
【発明の開示】
【発明が解決しようとする課題】
【０００３】  従来の製本方法では、背表紙以上のページでつながった上下が二段以上で独立した本が縦に並ぶ場合には、製本機械では処理のしようが無く、どちらか一方を製本の後、手作業にて他方以上の本部分の製本を行う必要が有った。【０００４】  本発明は、これら従来の製本方法では解決できずに高コストが必要であった人間による作業を軽減し、かつ製本スピードを従来の通常の製本誌と同じ程度の時間で処理することにより、コストも大幅に軽減できることを目的とするものである。
【課題を解決するための手段】
【０００５】  第１の解決手段として、印刷終了状態の少なくとも背表紙ページ以上のページ数ではつながっている、図１のような上下二段に分かれた製本誌を図２のように折り曲げて、背表紙同士を密着させた状態で、通常に機械製本を行う。【０００６】  すると上部製本部分の本は背中で折り返した状態で、下部製本部分と一体の製本処理がされているわけであるが、図３の記号３０２部分のように下部製本部分と上部製本部分を同時に中綴じ製本した製本金具が綴じている上部製本部分の中綴じ金具部分に沿ってミシン目や切込み等を入れておくことにより、折り返した上部製本部分の中綴じ金具で下部製本部分と一体に製本されていた部分は簡単に取り外しが効き、上部製本部分の折り返している本部分は図４のように元の状態の上下二段に分かれた製本部分を持つ二段式の本の状態に戻ることが可能となる。【０００７】  今まで通常では中綴じ機械を使用しての製本を低コストで行うことは不可能であったが、この方法により、上下に独立した二段以上の本を容易に機械製本を行うことが出来るようになる。
【発明の効果】
【０００８】  以上の通り、本発明は特許請求の範囲に記載の通り、上下二段以上独立製本誌一体本の製本方法であるので、中綴じ製本機械を通常作動させることにより、時間のロスと人の労力を大幅に改善することが出来、ひいては色々な汎用性のある新しい情報伝達の本の形態を低コストで実現することが可能になる。
【図面の簡単な説明】
【０００９】
【図１】  上下二段以上独立製本誌一体本を示す図
【図２】  図１の上下二段以上独立製本誌一体本の上部製本部を折り返し背表紙部分で下部製本部分と合わせ記号２０２の中綴じ金具で一体に製本している図
【図３】  上部製本部分の製本金具が綴じる部分に沿ってミシン目や切込み等を入れている状態を示す図
【図４】  上部製本部分の製本金具が綴じる部分に沿ってミシン目や切込み等に沿って取り外した部分を表す図
【符号の説明】
【００１０】  ００１    上部製本部分
００２    下部製本部分
００４    背表紙部分
２０１    上部製本部分の中綴じ金具部分
２０２    下部製本金具部分でありながら上下の製本誌を同時に製本している中綴じ金具部分
３０１    上部製本金具部分にそったミシン目部分
３０２    上部製本部分の上下の製本誌を同時に製本している中綴じ金具部分を取り外した後の空洞部分
【図１】
2008044334.tif 000003
【図２】
2008044334.tif 000004
【図３】
2008044334.tif 000005
【図４】
2008044334.tif 000006
(57)【要約】      （修正有）【課題】壺状又は椀状の型を外型とし、空気の注入により膨張する風船状の膨張袋を内型として、袋状クッションを成形する成形装置を提供する。【解決手段】碁笥を外型とし、風船状の膨張袋を内型にして、外型と内型のあいだに、クッション材を挟み込み、風船状の膨張袋を膨張させて、外型に圧着させて、外型の内側の形状、即ち、袋状のクッションを成形することを特徴とする袋状クッション成形装置並びに、袋状クッションを入れた碁笥。【選択図】図１
2008044331.tif 000002
【特許請求の範囲】
【請求項１】
壺状又は椀状の型を外型とし、空気の注入により膨張する風船状の膨張袋を内型とし、外型と内型の間に挟み込んだクッション材を、内型を膨張させて、外型に圧着し、外型の内側の形状に成形する袋状クッション成形装置。
【請求項２】
空気の注入により、膨張する風船状の膨張袋（以下、膨張袋と言う。）が、必要以上に膨らんで外形から飛び出さないように押さえる機構を有する装置。
【請求項３】
外型と内型の間に挟み込んだクッション材が、皺にならずに成形出来る様に、外型と内型の間に適当な間隔を保持する機構を有する装置。
【請求項４】
碁石の破損防止及び碁石の衝撃音低減のため、碁笥の中に入れる袋状クッション。
【請求項５】
碁石の破損防止及び碁石の衝撃音低減のための袋状クッションを入れた碁笥。
【発明の詳細な説明】
【技術分野】
【０００１】成形
【背景技術】
【０００２】従来は、硬質の型を用い、間に入れた材料をプレスして成形したり、型の中に液状の材料を注入し固めることによって物品を成形していた。
【発明の開示】
【発明が解決しようとする課題】
【０００３】従来のように、硬質の型を作るには相当な費用と時間を要した。また、型に原料を流し込む方法では、原料を流し込む装置が必要で、これも多くの費用が要した。
本発明は、従来の型を作らず、型に原料を流し込む装置も使わず、既製の物品を外型に利用し、既製のクッション材を使い、外型に合わせて形を自由に変えられる膨張袋を内型にして、安価に袋状クッションを製造するものである。
【課題を解決するための手段】
【０００４】    図１  図２  図３  図４
１．外型に既成の物品の碁笥１１を直に使用し、膨張袋取付け板５との間に円形にしたウレタン．フォーム板１３を挟み、膨張袋に空気を送り、碁笥１１の内面に、ウレタン．フォーム板１３を密着させ成形する装置を提供する。
２．空気の注入により、膨張する風船状の膨張袋（以下、膨張袋と言う。）が、必要以上に膨らんで、外形から飛び出さないように押さえる機構を有する装置を提供する。
３．外型と内型の膨張袋取付け板５の外周部分との間隔を適度に保ち、クッションが皺にならないようにする機構を有する装置を提供する。
【発明の効果】
【０００５】１．製造設備費用が従来のように多額にならないこと。
２．装置の操作が容易であること。
３．成形に時間が掛からないこと。
４．多量生産が可能なこと。
５．装置が小型軽量なので、場所をとらず設置し易いこと。
【発明を実施するための最良の手段】
【０００６】１．装置の構造      図１  図２  図３  図４
碁笥１１を乗せる基台１に、碁笥１１を回転し得る回転台２を設ける。腕３に軸４を設ける。軸４は上下に動く。軸４の下の先に膨張袋取付板５を、膨張袋取付板５の下には、膨張袋６を付ける。軸４の上に送風ポンプ７を置く。軸４の中心には、送風ポンプから膨張袋６に通じる通気孔が開いている。送風ポンプ７の上にポンプ操作レバー８を付ける。操作レバー８は、支点９にある。支点ロット１０と連動して送風ポンプ７を操作して膨張袋６に空気を送り、膨張袋６を膨らませ、斯くしてウレタン・フォーム板１３から袋状クッション１４を成形する構造。
２．装置の操作と作業手順      図１  図２  図３
回転台２の上に碁笥１１を置く。碁笥１１の上に円形のウレタン・フォーム板１３を載せ、膨張袋取付板５の位置が碁笥の口と同じレベルになるまで軸４を下げる。碁笥１１の中に、膨張袋取付板５が入った時点で、膨張袋６を膨らませるため、ポンプ操作レバー８を操作し、送風ポンプ７から膨張袋６に空気を送る。膨張袋６を膨らませ、ウレタン・フォーム板１３を碁笥１１の内面に押しつける。
ウレタン・フォーム板１３が碁笥内に引き込まれ終わったところで、碁笥１１の口から飛び出しているウレタン・フォームの余分な部分をカッターで切り取り、端を粘着テープ１２で固定する。ポンプ操作レバー８を操作して、膨張袋６から空気を抜く。軸４を上げて、碁笥１１から膨張袋取付板５を離す。
成形されたウレタン・フォームの袋状クッション１４を取り出す。
袋クッション１４の口の端の接着テープ１２の部分を装飾帯１５で覆い、接着しミシンで縫い付け、装飾帯１５付き袋状クッション１４にする。
３．袋状クッシン１４の使用目的と使用方法
意匠登録願（出願番号（意願２００６ー１９４５１））
特徴記載書（事件の表示（意願平１８．６．２７（ＥＥ０−０１））に依る。
【図面の簡単な説明】
【０００７】
【図１】  本発明の正面図、平面図、底面図、側面図である。
【図２】  本発明の斜視図である。本発明の主要部、軸４、膨張袋取付板５、膨張袋６の構造と位置、及び、
【図３】  碁笥１１、ウレタン・フォーム板１３との関係を示す詳細断面図である。本発明の主要部の、軸４、膨張袋取付板５、膨張袋６の構造と位置関係
【図４】  及び、碁笥１１、袋状クッション１４との関係を示す詳細断面図である。
【図５】  碁笥１１に装飾帯１５付き袋状クッション１４を装着した断面図である。
【符号の説明】
（  ）内は意匠登録願（整理番号ＥＥ０−０１）での番号を示す。
【０００８】  １．  基台
２．  回転台
３．  腕
４．  軸
５．  膨張袋取付け板
６．  膨張袋
７．  送風ポンプ
８．  操作レバー
９．  支点
１０．  支点ロット
１１．  碁笥                                （３）
１２．  粘着テープ
１３．  ウレタン・フォーム板
１４．  袋状クッション                      （１）
１５．  装飾帯                              （２）
【図１】
2008044331.tif 000003
【図２】
2008044331.tif 000004
【図３】
2008044331.tif 000005
【図４】
2008044331.tif 000006
【図５】
2008044331.tif 000007